(57)【要約】【課題】カートリッジケースの平坦性を確保した状態で、ロータリシャッタとカートリッジ周壁との間隔余裕を確保することを可能とした、記録ディスクカートリッジを提供する。【解決手段】カートリッジケース１０の上壁を構成するとともに周壁の一部を構成する平面視直線状の折り曲げ部１１２ｃ，１１２ｄを備える上シェル１１と、カートリッジケース１０の下壁を構成するとともに折り曲げ部１１２ｃ，１１２ｄの内側に重なるように構成された平面視直線状の折り曲げ部１２２ｃ，１２２ｄを備える下シェル１２と、カートリッジケース１０内で回動することでカートリッジケース１０のアクセス用開口部１０１を開閉するロータリシャッタ２０とを有し、周壁とロータリシャッタ２０とが最も近接する箇所において、下シェル１２の折り曲げ部１２２ｃ，１２２ｄの高さがロータリシャッタ２０の下端よりも低くなるように形成されている。【選択図】図６
2007141311.tif 000002
【特許請求の範囲】
【請求項１】
記録ディスクメディアと、前記記録ディスクメディアを収容するとともに、前記記録ディスクメディアを外部に臨ませるアクセス用開口部を有するカートリッジケースと、前記記録ディスクメディアと前記カートリッジケースとの間で回動することで前記アクセス用開口部を開閉するロータリシャッタと、を備える記録ディスクカートリッジであって、
前記記録ディスクメディアの上方に配置されて前記カートリッジケースの上壁を構成するとともにその一部を折り曲げることにより前記記録ディスクメディアの半径方向外側において前記カートリッジケースの周壁の一部を構成する平面視直線状の上嵌合部を備える上シェルと、
前記記録ディスクメディアの下方に配置されて前記カートリッジケースの下壁を構成するとともにその一部を前記上嵌合部の内側に重なるように折り曲げることにより前記周壁の一部を構成する平面視直線状の下嵌合部を備える下シェルと、
前記カートリッジケースの周壁の他部を構成するフレーム部材と、を有し、
前記周壁と前記ロータリシャッタとが最も近接する箇所において、前記下嵌合部の高さが、該ロータリシャッタの下端よりも低く、かつ、前記上嵌合部の下端よりも高くまたは同等となるように形成されていることを特徴とする、記録ディスクカートリッジ。
【請求項２】
前記下嵌合部が、前記ロータリシャッタが最も近接する箇所に対応する部分に凹部が形成されており、略凹字状に形成されていることを特徴とする、請求項１に記載の記録ディスクカートリッジ。
【請求項３】
前記下嵌合部の長手方向寸法が、前記上嵌合部の長手方向寸法よりも小さく形成されていることを特徴とする、請求項１または請求項２に記載の記録ディスクカートリッジ。
【請求項４】
前記下嵌合部の先端部が、内側方向に折り曲げられていることを特徴とする、請求項１乃至請求項３のいずれか１項に記載の記録ディスクカートリッジ。
【請求項５】
前記下嵌合部の先端部に、該下嵌合部の先端から下に向かうに従って、外側方向に板厚が増すテーパ加工が施されていることを特徴とする、請求項１乃至請求項４のいずれか１項に記載の記録ディスクカートリッジ。
【請求項６】
前記上嵌合部の先端部に、該上嵌合部の先端から上に向かうに従って、内側方向に板厚が増すテーパ加工が施されていることを特徴とする、請求項１乃至請求項５のいずれか１項に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。
特許文献１に記載の記録ディスクカートリッジ８００は、図８（ａ）及び（ｂ）に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。記録ディスクメディア８３０は、円盤状のフレキシブルディスク８３１と、このフレキシブルディスク８３１を支持するハブ８３２とから構成されている。かかる記録ディスクカートリッジ８００は、専用のドライブ装置（図示省略）に装着されて使用される。
【０００４】
カートリッジケース８１０は、図８（ａ）及び（ｂ）に示すように、上シェル８１１と下シェル８１２とから構成されており、記録ディスクカートリッジ８００がドライブ装置に装着されたときにドライブ装置のヘッドが記録ディスクメディア８３０にアクセスできるように、平面視くさび形のアクセス用開口部８１３が形成されている。そして、カートリッジケース８１０は、上シェル８１１と下シェル８１２とを、当該カートリッジケース８１０の周囲の壁部（以下、単に「周壁」という場合がある）の上下方向中間位置において上下から突き合わせることにより一体に形成されている。また、図８（ｂ）に示すように、下シェル８１２には、記録ディスクカートリッジ８００がドライブ装置に装着されたときにドライブ装置のスピンドルがハブ８３２にチャックできるように、チャック用ハブ孔８１５が形成されている。
【０００５】
ロータリシャッタ８２０は、円盤状の上シャッタ８２３と下シャッタ８２４とから構成されており、記録ディスクメディア８３０をアクセス用開口部８１３から臨ませるための切欠８２１を有している。この切欠８２１は、アクセス用開口部８１３と対応する形状を有している。また、ロータリシャッタ８２０は、カートリッジケース８１０内で回動できるように上シェル８１１に結合されている。ロータリシャッタ８２０が閉位置にあるとき、カートリッジケース８１０のアクセス用開口部８１３はロータリシャッタ８２０の切欠８２１以外の部分によって塞がれる。そのため、記録ディスクメディア８３０は外部に露出しない。ロータリシャッタ８２０が開位置にあるとき、ロータリシャッタ８２０の切欠８２１とカートリッジケース８１０のアクセス用開口部８１３とが重なって、アクセス用開口部８１３から記録ディスクメディア８３０が露出する。ロータリシャッタ８２０は、図示しないばねにより付勢されて、ドライブ装置に装着されていないときは閉位置に配置され、ドライブ装置に装着されたときは開位置に配置されるようになっている。
また、ロータリシャッタ８２０の下シャッタ８２４には、チャック用ハブ孔８１５と対応する形状を有するハブ孔８２２が形成されており、ハブ８３２の下面は、このハブ孔８２２を介してチャック用ハブ孔８１５から露出している。
【特許文献１】米国特許第６２５６１６８号明細書
【発明の開示】
【発明が解決しようとする課題】
【０００６】
ところで、従来の記録ディスクカートリッジ８００は、図８（ａ）及び（ｂ）に示すように、前端部の周壁の一部が記録ディスクメディア８３０の形状に沿って円弧状に形成されている。そして、従来の記録ディスクカートリッジ８００のカートリッジケース８１０は、金属プレートにしぼり加工を施すことにより、前端部の円弧状の周壁を上シェル８１１と下シェル８１２に一体形成した上で、上シェル８１１と下シェル８１２とを上下から突き合せて構成されている。
【０００７】
しかし、従来のしぼり加工による上下シェル８１１，８１２の一体化は、金属プレートの加工及び接合に手間が掛かるとともに、金属プレートにひずみが生じて、カートリッジケース８１０の平坦性が保てないという問題点を有していた。そのため、カートリッジケース８１０の周壁に形成されたひずみが、ロータリシャッタ８２０と接触してその回転（開閉）の妨げとなる場合や、記録ディスクカートリッジ８００のドライブ装置への出し入れの妨げとなる場合があった。
【０００８】
そのため、カートリッジケース８１０のしぼり加工に要する作業の手間の省略を図ることやカートリッジケース８１０の平坦性を向上させることを目的として、カートリッジケース８１０の周壁を、プラスチック部材により形成する場合がある。
【０００９】
ところが、プラスチック部材によるカートリッジケース８１０の周壁の形成は、所定の耐力を発現するためには、一定の厚みにより形成する必要がある。そのため、従来のしぼり加工により形成されたカートリッジケース８１０に比べて、カートリッジケース８１０の周壁の内面とロータリシャッタ８２０の外周面との隙間に余裕が少なくなるという問題点を有していた。特にカートリッジケース８１０の左右の周壁（直線部分）については、所定の規格形状により設定されたカートリッジケース８１０の幅と、記録ディスクメディア８３０の直径との関係により、カートリッジケース８１０の周壁の内面と、ロータリシャッタ８２０の外周面とが最も近づく（近接する）個所であって、この部分においてカートリッジケース８１０の壁厚の増加は、ロータリシャッタ８２０の回転（開閉）の妨げとなる虞を有していた。
【００１０】
このような背景に鑑みて本発明がなされたのであり、本発明は、カートリッジケースの平坦性を確保した状態で、ロータリシャッタとカートリッジ周壁との間隔余裕を確保することを可能とした、記録ディスクカートリッジを提供することを課題とする。
【課題を解決するための手段】
【００１１】
前記した課題を解決するため、本発明は、記録ディスクメディアと、前記記録ディスクメディアを収容するとともに、前記記録ディスクメディアを外部に臨ませるアクセス用開口部を有するカートリッジケースと、前記記録ディスクメディアと前記カートリッジケースとの間で回動することで前記アクセス用開口部を開閉するロータリシャッタと、を備える記録ディスクカートリッジであって、前記記録ディスクメディアの上方に配置されて前記カートリッジケースの上壁を構成するとともにその一部を折り曲げることにより前記記録ディスクメディアの半径方向外側において前記カートリッジケースの周壁の一部を構成する平面視直線状の上嵌合部を備える上シェルと、前記記録ディスクメディアの下方に配置されて前記カートリッジケースの下壁を構成するとともにその一部を前記上嵌合部の内側に重なるように折り曲げることにより前記周壁の一部を構成する平面視直線状の下嵌合部を備える下シェルと、前記カートリッジケースの周壁の他部を構成するフレーム部材と、を有し、前記周壁と前記ロータリシャッタとが最も近接する箇所において、前記下嵌合部の高さが該ロータリシャッタの下端よりも低く、かつ、前記上嵌合部の下端よりも高くまたは同等となるように形成されていることを特徴としている。
【００１２】
このような記録ディスクカートリッジによれば、ロータリシャッタが最も近接する箇所に対応するカートリッジケースの周壁は、上シェルを構成する板材（上嵌合部）のみにより壁厚が薄く形成されているため、ロータリシャッタの外縁とカートリッジケースの内面との間に十分な余裕が確保されて、ロータリシャッタの回転を妨げられることがない。また、下嵌合部の高さを上嵌合部の下端よりも高くまたは同等となるように形成することにより、下嵌合部と上嵌合部とを重ね合わせまたは突き合せて周壁を形成して、カートリッジケースの気密性を維持することを可能としている。また、カートリッジケースの周壁のうち、上嵌合部と下嵌合部により形成された箇所以外の部分について、フレーム部材を配置することで形成しているため、従来、上シェル及び下シェルを構成する金属プレートにしぼり加工を施すことによりひずみが生じていたカートリッジケースの周壁の曲線部を含む部分に関して、平坦性が確保されている。
なお、本明細書において、前、後、左、右、上、下は、相対的な位置関係を示すものであり、重力との関係から絶対的に定まる方向に限定するものではない。
【００１３】
前記した記録ディスクカートリッジにおいては、前記下嵌合部が、前記ロータリシャッタが最も近接する箇所に対応する部分に凹部が形成されており、略凹字状に形成されていることが望ましい。
このように下嵌合部が側面視で略凹字状に形成されていれば、上嵌合部と下嵌合部との重ね合わせ部分を広く確保することで、上シェルと下シェルとの一体化を確実にするとともに、ロータリシャッタが最も近接する箇所では、上シェル（上嵌合部）のみにより壁厚が薄く形成されているため、ロータリシャッタの外縁とカートリッジケースの内面との間隔に余裕ができ、ロータリシャッタの回転を妨げることがない。
【００１４】
前記した記録ディスクカートリッジにおいて、前記下嵌合部の長手方向寸法が、前記上嵌合部の長手方向寸法よりも小さく形成されていれば、下嵌合部が上嵌合部に完全に収容されて、カートリッジケースの側面の気密性が向上するため、好適である。
【００１５】
また、このような下嵌合部を有する構成においては、前記下嵌合部の先端部が、内側方向に折り曲げられた構成としてもよい。あるいは、前記下嵌合部の先端部に、該下嵌合部の先端から下に向かうに従って、外側方向に板厚が増すテーパ加工を施してもよい。
下嵌合部の先端部（上端）をこのような構成とすることにより、カートリッジケースの組み立て時において上嵌合部を下嵌合部の外側に重なるように誘導するため、組み合わせ作業を容易に行うことが可能となる。
【００１６】
また、このような上嵌合部を有する構成においては、前記上嵌合部の先端から上に向かうに従って、内側方向に板厚が増すテーパ加工を施してもよい。
上嵌合部の先端部（下端）をこのような構成とすることにより、組み立て時において下嵌合部を上嵌合部の内側に重なるように誘導するため、組み合わせ作業を容易に行うことが可能となる。
【発明の効果】
【００１７】
本発明の記録ディスクカートリッジにより、カートリッジケースの平坦性を確保した状態で、ロータリシャッタとカートリッジ周壁との間隔余裕を確保することが可能となった。
【発明を実施するための最良の形態】
【００１８】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、本実施形態に係るロータリシャッタを示す斜視図であり、（ａ）は前方斜め上方からみた図、（ｂ）は後方斜め下方からみた図である。図４は、本実施形態に係る記録ディスクカートリッジを下方からみた平面図である。図５は、本実施形態に係る記録ディスクカートリッジをドライブ装置に挿入した状態を示す斜視図である。図６は、本実施形態に係る記録ディスクカートリッジの左右の周壁の詳細を示す図であり、（ａ）は記録ディスクカートリッジの平面図、（ｂ）は（ａ）のＡ部分の詳細を示す横断面図、（ｃ）は（ａ）のＡ部分の詳細を示す平面図、（ｄ）は（ａ）のＡ部分の詳細を示す側面図である。さらに、図７の（ａ）〜（ｄ）は、本実施形態に係る上嵌合部及び下嵌合部の詳細を示す横断面図である。
なお、本説明において方向を説明する場合は、図１に示す前、後、左、右、上、下、を基準として説明する。
【００１９】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、記録ディスクメディア３０をクリーニング及び保護等するライナ６０，６０と、各ライナ６０をロータリシャッタ２０の内面に固着する接着層（固定層）と、を主に備えている。そして、このような記録ディスクカートリッジ１は、専用のドライブ装置Ｄ（図５参照）に、その前側から挿入されて使用される。
【００２０】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図５参照）。
【００２１】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図５参照）の動作に干渉しない形状となっている。
【００２２】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００２３】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２４】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２５】
また、上シェル１１は、その右側に、金属プレートを折り曲げ加工して一体形成された平面視直線状の折り曲げ部（上嵌合部）１１２ｃを有しており、その左側に、折り曲げ部（上嵌合部）１１２ｄを有している。これと同様に、下シェル１２は、その右側に折り曲げ部（下嵌合部）１２２ｃを、その左側に折り曲げ部（下嵌合部）１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２６】
さらに、上シェル１１は、その中央部に、ロータリシャッタ２０を回動可能に止め付けるセンタピン５０と係合する係合孔１１３を有している。
【００２７】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２８】
［折り曲げ部１１２ｃ，１１２ｄ，１２２ｃ，１２２ｄ］
上シェル１１及び下シェル１２の折り曲げ部１１２ｃ，１１２ｄ，１２２ｃ，１２２ｄは、図６（ａ）及び（ｂ）に示すように、記録ディスクカートリッジ１の右端部１０ｃ及び左端部１０ｄにおいて、上シェル１１及び下シェル１２の金属プレートを折り曲げ加工されることにより平面視直線状に一体に形成されている。
【００２９】
そして、図６（ｂ）に示すように、下シェル１２の折り曲げ部１２２ｃ，１２２ｄを、上シェル１１の折り曲げ部１１２ｃ，１１２ｄの内側に重なるように組み立てることで、カートリッジケース１０の右端部１０ｃ及び左端部１０ｄの周壁の一部を構成している。
【００３０】
上シェル１１の折り曲げ部１１２ｃ，１１２ｄは、図６（ｃ）及び（ｄ）に示すように、側面視で略長方形状に形成されている。そして、その長手方向（前後方向）の長さＬ１は、下シェル１２の折り曲げ部１２２ｃ，１２２ｄの長手方向（前後方向）の長さＬ２よりも大きく形成されている。また、図６（ｄ）に示すように、上シェル１１の折り曲げ部１１２ｃ，１１２ｄの高さ（図６（ｄ）において左右方向の幅）は、下シェル１２の折り曲げ部１２２ｃ，１２２ｄを完全に覆う高さに形成されており、折り曲げ部１１２ｃ，１１２ｄの下端が、後記する折り曲げ部１２２ｃ，１２２ｄの凹部１２２ｅの下端よりも下（図６（ｄ）において右側）に配置されるように構成されている。
【００３１】
下シェル１２の折り曲げ部１２２ｃ，１２２ｄは、図６（ｂ）及び（ｄ）に示すように、ロータリシャッタ２０が最も近接する箇所に対応する部分に凹部１２２ｅを有していて、側面視で略凹字状に形成されている。そして、折り曲げ部１２２ｃ，１２２ｄの凹部１２２ｅの下端は、ロータリシャッタ２０の下端よりも低く、かつ、上シェル１１の折り曲げ部１１２ｃ，１１２ｄの下端よりも高くなるように、形成されている。
【００３２】
カートリッジケース１０の組み立ては、フレーム部材１３の上下から上シェル１１と下シェル１２とを、下シェル１２の折り曲げ部１２２ｃ，１２２ｄが上シェル１１の折り曲げ部１１２ｃ，１１２ｄの内側に配置されるように互いに重ね合わせることにより行う。
なお、本実施形態では、凹部１２２ｅの下端を上シェル１１の折り曲げ部１１２ｃ，１１２ｄの下端よりも高くなるように形成することで、下シェル１２の折り曲げ部１２２ｃ，１２２ｄと上シェル１１の折り曲げ部１１２ｃ，１１２ｄとを重ね合わせるものとしたが、カートリッジケース１０の組み立て方法は、前記の方法に限定されるものではない。例えば、凹部１２２ｅの下端を、上シェル１１の折り曲げ部１１２ｃ，１１２ｄの下端と同等の高さに形成し、下シェル１２の凹部１２２ｅの下端と上シェル１１の折り曲げ部１１２ｃ，１１２ｄとを付き合わせてカートリッジケース１０を組み立ててもよい。
【００３３】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００３４】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００３５】
また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００３６】
Ｖノッチ部材１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００３７】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００３８】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図３参照）。
【００３９】
ロータリシャッタ２０は、図２及び図３に示すように、記録ディスクメディア３０を外部に臨ませる切欠部２０１を有している（図５参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００４０】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図４、図５参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図５参照）。
【００４１】
また、ロータリシャッタ２０は、図示しない付勢手段（例えば渦巻きばね）によって、閉方向（図４、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図５参照）。ちなみに、本発明において、前記付勢手段は必須の構成要素ではなく、後記するように、ドライブ装置Ｄ（図５参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００４２】
このようなロータリシャッタ２０は、図２及び図３に示すように、金属プレートからなる上シャッタ２１及び下シャッタ２２と、これらの間に介在した合成樹脂製のシャッタウォール２３と、を備えて構成されている。
【００４３】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００４４】
また、上シャッタ２１は、その中央部に、前記したセンタピン５０を挿通させるための挿通孔２１２を有している。
【００４５】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００４６】
さらに、下シャッタ２２の下面には、ロータリシャッタ２０を回動させるためのシャッタノブ２４が取り付けられている（図３（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図５参照）。
【００４７】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタ２２の側面から、その径方向外側に向かって徐々に離れるように延出した細長の金属片である。ロック片７０の先端部７１は、径方向内側に向かってやや屈曲している（図３、図４参照）。
【００４８】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００４９】
また、ロック片７０の先端部７１は、係合溝１３１ｅを介して、記録ディスクカートリッジ１の右側方に臨んでいる。そして、記録ディスクカートリッジ１がドライブ装置Ｄ（図５参照）に挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００５０】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００５１】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００５２】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図５参照）のスピンドル（図示省略）にチャックされるチャック部３２１を備えている（図１（ｂ）参照）。
【００５３】
＜ライナ６０＞
ライナ６０，６０は、記録ディスクメディア３０をクリーニングすると共に、記録ディスクメディア３０を保護するものであり、例えば、不織布等から形成されている。そして、図２に示すように、ライナ６０，６０は、上シャッタ２１及び下シャッタ２２のフレキシブルディスク３１（記録ディスクメディア３０）側にそれぞれ位置しており、接着層を介して上シャッタ２１又は下シャッタ２２に固定されている。
【００５４】
＜ハブ孔シャッタ４０＞
図２に戻って説明を続ける。
ハブ孔シャッタ４０は、下シェル１２とハブ３２との間の隙間Ｓ（図５参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００５５】
第１シャッタ４１及び第２シャッタ４２は、それぞれ、平面視で半円状の板状部材である。第１シャッタ４１は、その一方側に、軸孔４１１を有している。同様に、第２シャッタ４２は、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００５６】
また、第１シャッタ４１は、その他方側に、ハブ３２と嵌り合うように半円形状に切り欠かれた嵌合部４１２を有している。同様に、第２シャッタ４２は、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５７】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００５８】
≪記録ディスクカートリッジの作用効果≫
次に、記録ディスクカートリッジ１の作用効果について説明する。まず、ロータリシャッタ２０及びハブ孔シャッタ４０の動作について図５を主に参照して説明する。
【００５９】
＜カートリッジケース１０の作用効果＞
本実施形態に係るカートリッジケース１０は、上シェル１１と下シェル１１との折り曲げ部１１２ｃ，１１２ｄ，１２２ｃ，１２２ｄを重ね合わせることにより構成されるため、カートリッジケース１０の周壁の平坦性が確保された状態で、ロータリシャッタ２０とカートリッジケース１０の周壁との間隔余裕が確保されており、かつ、気密性にすぐれており、なおかつ、簡易に組み立てることが可能に構成されている。
【００６０】
［フレーム部材１３の作用効果］
カートリッジケース１０は、前端部１０ａに係る周壁の一部を構成するアーチ状フレーム１３１と、主に後端部１０ｂの周壁を構成するベースフレーム１３２と、左端部１０ｄの周壁の一部を構成するＶノッチ部材１３３とを備えて構成されているため、周壁の平坦性が確保されている。このため、従来、周壁の曲線を含む区間については上シェル１１及び下シェル１２を構成する金属プレートにしぼり加工を施していたために、カートリッジケース１０の周壁にひずみが生じていたことによる問題点が解消されている。つまり、例えば、カートリッジケース１０の周壁の内面とロータリシャッタ２０の外周面との間隔に余裕ができるため、ロータリシャッタ２０の回転が妨げられることない。
【００６１】
［折り曲げ部１１２ｃ，１１２ｄ，１２２ｃ，１２２ｄの作用効果］
カートリッジケース１０は、フレーム部材１３の上下から上シェル１１と下シェル１２とを、下シェル１２の折り曲げ部１２２ｃ，１２２ｄが上シェル１１の折り曲げ部１１２ｃ，１１２ｄの内側に配置されるように互いに重ね合わせるように、嵌合するため、溶接などの作業を要することなく、簡易に、カートリッジケース１０を組み立てることを可能としている。
【００６２】
図６（ｂ）に示すように、下シェル１２の折り曲げ部１２２ｃ,１２２ｄは、凹部１２２ｅの下端がロータリシャッタ２０の下端よりも低くなるように形成されているため、カートリッジケース１０の右端部１０ｃ及び左端部１０ｄのロータリシャッタ２０が最も近接する箇所においては、周壁の壁厚は、上シェル１１の折り曲げ部１１２ｃ，１１２ｄを構成する金属プレート一枚の厚みのみとなる。そのため、カートリッジケース１０の周壁の内面とロータリシャッタ２０の外周面との間には十分な間隔が確保されて、上シェル１１と下シェル１２との折り曲げ部１１２ｃ，１１２ｄ，１２２ｃ，１２２ｄを重ね合わせることにより構成されたカートリッジケース１０の周壁とロータリシャッタ２０との間隔に余裕が生じ、ロータリシャッタ２０の回転が妨げられることがない。
【００６３】
また、上シェル１１の折り曲げ部１１２ｃ，１１２ｄは、長手方向の長さＬ１がＬ２よりも長く、かつ、下端が凹部１２２ｅの下端よりも低くなるように形成されているため、カートリッジケース１０を組み立てた状態で下シェル１２の折り曲げ部１２２ｃ，１２２ｄを完全に覆う。そのため、嵌合部におけるカートリッジケース１０の気密性が確保されて、当該カートリッジケース１０の内部への塵埃等の浸入を防止する。つまり、溶接などによる密閉作業を要することがなく、簡易に、塵埃等の浸入が防止された高品質の記録ディスクカートリッジ１を製造することを可能としている。
【００６４】
また、下シェル１２の折り曲げ部１２２ｃ，１２２ｄは、略凹字状に形成されているため、ロータリシャッタ２０とカートリッジケース１０との間に十分な隙間を確保することでロータリシャッタ２０の回転が妨げられることなく、かつ、折り曲げ部１２２ｃ，１２２ｄの凹部１２２ｅ以外の部分により、上シェル１１と下シェル１２との一体化を実現することを可能としている。
【００６５】
なお、上シェル１１及び下シェル１２の折り曲げ部１１２ｃ，１１２ｄ，１２２ｃ，１２２ｄは、作業性の向上を目的として、カートリッジケース１０の組み立て時に上シェル１１の折り曲げ部１１２ｃ，１１２ｄが外側、下シェル１２の折り曲げ部１２２ｃ，１２２ｄが内側となるように互いに誘導する形状にその先端に加工を施してもよい。
【００６６】
例えば、図７（ａ）に示すように、下シェル１２の折り曲げ部１２２ｄ（１２２ｃ）の上端（先端部）に、先端から下外側方向に向かって徐々に板厚が増すテーパ部１２２ｆを形成することにより、カートリッジケース１０の組み立て時に上シェル１１の折り曲げ部１１２ｄ（１１２ｃ）を外側に誘導する構成や、図７（ｂ）に示すように、下シェル１２の折り曲げ部１１２ｄ（１１２ｃ）の上端（先端部）を内側方向に折り曲げて、カートリッジケース１０の組み立て時に下シェル１２の折り曲げ部１２２ｄ（１２２ｃ）が上シェル１１の折り曲げ部１１２ｄ（１１２ｃ）の内側に入り込むように構成してもよい。
【００６７】
また、図７（ｃ）に示すように、上シェル１１の折り曲げ部１１２ｄ（１１２ｃ）の下端（先端部）に、先端から上内側方向に向かって徐々に板厚が増すテーパ部１１２ｅを形成することにより、カートリッジケース１０の組み立て時に、下シェル１２の折り曲げ部１２２ｄ（１２２ｃ）を内側に誘導する構成としてもよい。
さらに、図７（ｄ）に示すように、上シェル１１の折り曲げ部１１２ｄ（１１２ｃ）及び下シェル１２の折り曲げ部１２２ｄ（１２２ｃ）のそれぞれの先端にテーパ部１１２ｅ，１２２ｆを形成することにより、互いに上シェル１１の折り曲げ部１１２ｃ，１１２ｄが外側、下シェル１２の折り曲げ部１２２ｃ，１２２ｄが内側となるように誘導する構成としてもよい。
【００６８】
＜ロータリシャッタ２０の動作＞
ロータリシャッタ２０は、図５右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の浸入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００６９】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４、矢印Ａ２参照）。
【００７０】
そうすると、シャッタノブ２４が固定されたロータリシャッタ２０は、カートリッジケース１０内でセンタピン５０を軸として回動する（図４、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００７１】
そして、図５左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００７２】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図４参照）。
【００７３】
＜ハブ孔シャッタ４０の動作＞
次に、このようなロータリシャッタ２０の動作に連動するハブ孔シャッタ４０について説明する。
ハブ孔シャッタ４０は、図５右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の浸入が防止されており、その結果として、記録ディスクメディア３０等が保護されている。
【００７４】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図４、矢印Ａ４、Ａ４参照）。
【００７５】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図４、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図４、矢印Ａ５参照）。
【００７６】
このように、第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図５左側参照）。その結果として、ハブ３２及びこれを備える記録ディスクメディア３０は、ハブ３２にチャックするドライブ装置Ｄのスピンドル（図示省略）により、良好に回転することができる。
【００７７】
なお、記録ディスクカートリッジ１がドライブ装置Ｄから取り出されると、閉位置に戻るロータリシャッタ２０に連動して、ハブ孔シャッタ４０は隙間Ｓを閉じる。
【００７８】
以上、本発明について、好適な実施形態について説明したが、本発明は前記の実施形態に限られず、本発明の趣旨を逸脱しない範囲で適宜設計変更が可能である。
例えば、前記実施形態では、下シェルの折り曲げ部を、切り欠きにより側面視で略凹字状に形成する構成としたが、下シェルの折り曲げ部はロータリシャッタが最も近接する箇所においてその高さがロータリシャッタの下端よりも低くなるように形成されていればよく、例えば、全体的に折り曲げ部の高さをロータリシャッタの下端よりも低く形成するなど、下シェルの折り曲げ部の形状は前記実施形態の形状に限定されるものではない。
【００７９】
また、上シェルの折り曲げ部の長手方向寸法を下シェルの折り曲げ部の長手方向寸法よりも大きく形成するものとしたが、カートリッジケースの気密性能が維持されるのであれば、両折り曲げ部の長手方向寸法を同一としてもよいことはいうまでもない。
【００８０】
また、前記実施形態では、右端部及び左端部の周壁について、上下のシェルの折り曲げ部を重ね合わせて形成する構成としたが、後端部の周壁の平面視直線部分についても、上下のシェルと一体に構成された折り曲げ部を形成し、重ね合わせることにより周壁を形成してもよい。
【００８１】
ロータリシャッタの構成は前記のものに限定されるものではなく、適宜公知の構成によるものを使用可能である。
また、フレーム部材の構成も適宜設定すればよい。
【００８２】
また、前記実施形態では、ハブ孔シャッタを備える構成について説明したが、必ずしもハブ孔シャッタを有していなくてもよい。
【図面の簡単な説明】
【００８３】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】本実施形態に係るロータリシャッタを示す斜視図であり、（ａ）は前方斜め上方からみた図、（ｂ）は後方斜め下方からみた図である。
【図４】本実施形態に係る記録ディスクカートリッジを下方からみた平面図である。
【図５】本実施形態に係る記録ディスクカートリッジをドライブ装置に挿入した状態を示す斜視図である。
【図６】本実施形態に係る記録ディスクカートリッジの左右の周壁の詳細を示す図であり、（ａ）は記録ディスクカートリッジの平面図、（ｂ）は周壁の横断面図、（ｃ）は周壁の平断面図、（ｄ）は周壁の側面図である。
【図７】（ａ）〜（ｄ）は、本実施形態に係る上嵌合部及び下嵌合部の詳細を示す横断面図である。
【図８】従来の記録ディスクカートリッジを示す図である。
【符号の説明】
【００８４】
１      記録ディスクカートリッジ
１０    カートリッジケース
１０ａ  前端部
１０ｂ  後端部
１０ｃ  右端部
１０ｄ  左端部
１１    上シェル
１２    下シェル
１３    フレーム部材
２０    ロータリシャッタ
３０    記録ディスクメディア
３１    フレキシブルディスク
４０    ハブ孔シャッタ
１０１  アクセス用開口部
１１２ｃ，１１２ｄ  折り曲げ部（上嵌合部）
１１２ｅ  テーパ部
１２２ｃ，１２２ｄ  折り曲げ部（下嵌合部）
１２２ｅ  凹部
１２２ｆ  テーパ部
１３１  アーチ状フレーム
１３２  ベースフレーム
１３３  Ｖノッチ
【図１】
2007141311.tif 000003
【図２】
2007141311.tif 000004
【図３】
2007141311.tif 000005
【図４】
2007141311.tif 000006
【図５】
2007141311.tif 000007
【図６】
2007141311.tif 000008
【図７】
2007141311.tif 000009
【図８】
2007141311.tif 000010